(57)【要約】【課題】ユニットケースの内周面と内蔵部品の外周面との間に生じる隙間が、音響的な空気室として動作しない構造にして、指向周波数応答特性を改善したコンデンサーマイクロホンユニットおよびコンデンサーマイクロホンを得る。【解決手段】振動板５、振動板の保持体４、振動板に対向する固定電極７、固定電極を受ける絶縁座８を含む内蔵部品と、内蔵部品を収納するユニットケース１を備え、内蔵部品の外周面とユニットケース１の内周面との間に空気室が存在する。この空気室が音響容量を持たないように空気室の前後が開放されている。内蔵部品の前端とユニットケース１の間にメッシュ３を挟み込み、メッシュ３を通して空気室の前端を開放するとよい。内蔵部品の後端とユニットケース１と実質一体の部材との間にメッシュ５０を挟み込み、メッシュ５０を通して空気室の後端を開放するとよい。【選択図】図１
2008079223.tif 000002
【特許請求の範囲】
【請求項１】
音波を受けて振動する振動板、この振動板の保持体、振動板に対向する固定電極、固定電極を受ける絶縁座を含む内蔵部品と、この内蔵部品を収納するユニットケースを備え、内蔵部品の外周面とユニットケースの内周面との間に空気室が存在するコンデンサーマイクロホンユニットであって、
上記空気室が音響容量を持たないように上記空気室の前後が開放されていることを特徴とするコンデンサーマイクロホンユニット。
【請求項２】
内蔵部品の前端とユニットケースの間にメッシュが挟み込まれ、このメッシュを通して空気室の前端が開放されている請求項１記載のコンデンサーマイクロホンユニット。
【請求項３】
内蔵部品の後端とユニットケースと実質一体の部材との間にメッシュが挟み込まれ、このメッシュを通して空気室の後端が開放されている請求項１記載のコンデンサーマイクロホンユニット。
【請求項４】
内蔵部品の前端は振動板保持体の前端で、この振動板保持体の前端周縁部とユニットケースの前板内面との間にメッシュが挟み込まれている請求項２記載のコンデンサーマイクロホンユニット。
【請求項５】
内蔵部品の後端は絶縁座の後端で、ユニットケースの後端部内周にねじ込まれたロックリングと絶縁座の後端との間にメッシュ材が挟み込まれている請求項３記載のコンデンサーマイクロホンユニット。
【請求項６】
絶縁座の後端に、内蔵部品の外周面とユニットケースの内周面との間に存在する空気室を開放する開口が形成されている請求項１記載のコンデンサーマイクロホンユニット。
【請求項７】
メッシュの音響インピーダンスは低インピーダンスである請求項２または３記載のコンデンサーマイクロホンユニット。
【請求項８】
マイクロホンケースにコンデンサーマイクロホンユニットを組み込んだコンデンサーマイクロホンであって、コンデンサーマイクロホンユニットは請求項１〜７のいずれかに記載されているコンデンサーマイクロホンユニットであるコンデンサーマイクロホン。
【発明の詳細な説明】
【技術分野】
【０００１】
本発明は、コンデンサーマイクロホンユニットおよびコンデンサーマイクロホンに関するもので、特に、内臓部品とユニットケース間の空気室の共振防止構造に特徴を有するものである。
【背景技術】
【０００２】
コンデンサーマイクロホンユニットは、一般に、振動板、振動板の外周部を保持する振動板保持体、振動板に対向して配置される固定電極、固定電極と振動板の間に介在するスペーサなどからなる内臓部品と、これらの内臓部品を一体的に保持するユニットケースを備えてなる。上記内蔵部品の外周は円筒面をなし、円筒形をなすユニットケースの内周側に上記内蔵部品が収納され、ユニットケースからその前後方向に適切な圧力を加えることによって、内臓部品をユニットケース内に固定している。内臓部品をユニットケース内に収納してコンデンサーマイクロホンユニットを組み立てるためには、内臓部品の外周面とユニットケースの内周面との間に隙間が生じる。
【０００３】
上記隙間はなるべく狭いほうが内臓部品相互およびユニットケースと内臓部品との偏心をなくすために望ましいが、ユニットケースへの内臓部品の組み込み作業が困難になる。したがって、上記隙間は組立の作業性を考慮して適切な値に設計されるが、この隙間すなわち空気室の存在は、以下に述べる理由によってマイクロホンの特性に大きな影響をもたらす。すなわち、コンデンサーマイクロホンユニットでは、固定電極の背後に空気室を設けることによって無指向性成分を得ている。ところが、この固定電極の背後の空気室が、上記内蔵部品とユニットケースとの間の隙間によって音響的につながると、コンデンサーマイクロホンユニットの指向周波数応答が劣化する。特に、固定電極に回転防止用の切り欠きが形成されていると、この切り欠き部を通して固定電極後背部の空気室と上記隙間とが音響的につながり、指向周波数応答が劣化する。
【０００４】
コンデンサーマイクロホンユニットの前面側にフロントメッシュを取り付けたものがあるが、フロントメッシュを取り付けても、取り付けなくても、上記内蔵部品とユニットケースとの間の隙間の後端が閉止されているので、この隙間が空気室として動作し、漏洩による音響質量と共振する。
【０００５】
以上説明した従来技術を、図面とともにより具体的に説明する。図５において、符号１は有底円筒形のユニットケースを示しており、ユニットケース１の底部に相当する部分には複数の孔が形成され、これらの孔は前部音響端子１１となっている。ユニットケース１内には、ユニットケース１の内底部側から順に、フロントメッシュ３、振動板保持体４、振動板５、スペーサ６、固定電極７、絶縁座８、音響抵抗９、音響抵抗押さえ１０が配置されている。ユニットケース１の開放された後端部内周には雌ねじ１２が形成され、この雌ねじ１２にロックリング２０の外周に形成された雄ねじがねじ込まれている。ロックリング２０は上記内臓部品をユニットケース１の内底面に向かって押圧し、ユニットケース１内に上記内臓部品を一体的に固定している。
【０００６】
上記フロントメッシュ３はステンレス鋼製の細線を布状に形成したもので、上記前部音響端子を１１内側から覆っている。振動板５はフィルム状の素材からなる円形の部材である。図５において上側が前面となっていて、振動板５の外周縁部がリング状の振動板保持体４の後ろ側の面に固着されて振動板組立体が形成されている。この振動板組立体は振動板５が固定電極７側に位置するように配置され、振動板５と固定電極７との間には薄いリング状のスペーサ６が介在し、振動板５と固定電極７との間にスペーサ６の厚さに相当する間隙が形成されている。
【０００７】
固定電極７は、図６に示すように全体として円板形で、振動板５と固定電極７との間に生じている間隙を外部に連通させるための複数の孔７１が形成されるとともに、外周部に固定電極７を位置決めするための切り欠き７２が形成されている。絶縁座８は前後の面に円形の凹陥部が形成され、前側の凹陥部は大径の凹陥部とこれよりも小径の凹陥部からなる２段の凹陥部となっていて、大径の凹陥部に固定電極７が位置決めされて固定されている。絶縁座８の上記小径の凹陥部は固定電極７の背後の空気室８１となっていて、この空気室８１は固定電極７の孔７１と連通している。絶縁座８はその中心を前後に貫く中心孔を有し、この中心孔には、絶縁座８の前側から引き出し端子となるねじ１４が挿入され、ねじ１４は音響抵抗９および音響抵抗押さえ１０を貫いている。音響抵抗押さえ１０の後面側から突出したねじ１４には皿座金１５が挿入され、さらにナット１６がねじ込まれることにより、皿座金１５の介在のもとに音響抵抗押さえ１０が音響抵抗９を絶縁座８に圧着している。絶縁座８は上記空気室８１に連通する孔８３を有し、音響抵抗押さえ１０は絶縁座８の上記孔８３と重なる孔を有していて、この孔は後部音響端子１０１を構成し、この後部音響端子１０１を塞ぐようにして上記音響抵抗９が存在している。
【０００８】
図５に示す例において、フロントメッシュ３、振動板保持体４、振動板５、スペーサ６および絶縁座８を含む内蔵部品の組み込み作業性を考慮して、これら内蔵部品の外周面とユニットケース１の内周面との間には、適宜の隙間２５が生じるように設計されている。この隙間２５からなる空気室の存在が、固定電極７の背後の空気室８１と音響的につながり、コンデンサーマイクロホンユニットの指向周波数応答を劣化させる要因となる。特に、図５、図６に示す例のように、固定電極７に回転防止用の切り欠き７２が形成されていると、この切り欠き部７２を通して固定電極７の背後の空気室８１と上記隙間２５とが音響的につながり、指向周波数応答が劣化する。
【０００９】
図７乃至図１０は、上記従来例の問題点をより具体的に示す。図７に、各部の音響的な要素を示す。これらの要素は以下のとおりである。
ｍｆ：前部音響端子の質量
ｒｆ：フロントメッシュの音響抵抗
ｓｆ：振動板の前側の空気室１８のスチフネス
ｍ０，ｓ０，ｒ０：振動板の音響インピーダンス
ｍ０：振動板の音響質量
ｓ０：振動板のスチフネス
ｒ０：振動板の音響抵抗
ｓ１：振動板の背後の空気室８１のスチフネス
ｒ１：後部の音響抵抗
ｍＬｓ，ｒＬｓ：固定電極の切り欠き７２からの漏洩インピーダンス
ｍＬｓ：漏洩音響質量
ｒＬｓ：漏洩音響抵抗
ｓｓ：隙間２５からなる空気室のスチフネス
ｍＬｆ，ｒＬｆ：フロントメッシュ３から隙間２５に漏洩するインピーダンス
ｍＬｆ：フロントメッシュ３から隙間２５に漏洩する音響質量
ｒＬｆ：フロントメッシュ３から隙間２５に漏洩する音響抵抗
【００１０】
図９は上記ｓｓ，ｍＬｓ，ｒＬｓ，ｍＬｆ，ｒＬｆを示すモデル図で、ｓｓはユニットケース１の内周側の隙間２５からなる空気室のスチフネス、ｍＬｆ，ｒＬｆはフロントメッシュ３から隙間２５に漏洩するインピーダンス、ｍＬｓ，ｒＬｓは固定電極の切り欠き７２から隙間２５に漏洩するインピーダンスをそれぞれ示している。
【００１１】
上記従来例の音響的な等価回路を図８に示す。図８において、音響入力をＰ１、音響出力をＰ２とすると、Ｐ１，ｍｆ，ｒｆ，ｍｏ，ｓｏ，ｒ０，ｒ１，Ｐ２，Ｐ１の順に直列接続され、ｒｆ，ｍｏの接続点とＰ１，Ｐ２の接続点の間にｓｆが介在し、ｒ０，ｒ１の接続点とＰ１，Ｐ２の接続点の間にｓ１が介在している。また、ｒｆ，ｍｏの接続点とＰ１，Ｐ２の接続点の間には、直列に接続されたｍＬｆ，ｒＬｆ，ｓｓが介在し、ｒ０，ｒ１の接続点とｒＬｆ，ｓｓの接続点の間には、直列に接続されたｍＬｓ，ｒＬｓが介在している。
【００１２】
図８の上側に示されているＰ１，ｍｆ，ｒｆ，ｍｏ，ｓｏ，ｒ０，ｒ１，Ｐ２，Ｐ１の直列接続とｓｆ，ｓ１を含む部分Ａが、本来の正常な、すなわち隙間２５からなる空気室への音響的な漏洩がない場合の等価回路である。しかしながら、フロントメッシュ３および固定電極の切り欠き６２から隙間２５に音響的な漏洩が生じることにより、図８の下側に示されているｍＬｆ，ｒＬｆ，ｓｓ，ｍＬｓ，ｒＬｓを含む共振回路Ｂが存在する。この共振回路Ｂは本来あってはならない回路であって、共振回路Ｂが存在することにより、指向周波数応答特性を劣化させる要因となる。
【００１３】
図１０は上記従来例の指向周波数応答特性を示す。マイクロホンユニットの正面からの角度を０°、背後からの角度を１８０°、真横からの角度を９０°として表している。図１０において、ピークが現れているところはｍＬｓ，ｒＬｓによるもの、谷状の落ち込みが現れているところはｍＬｆ，ｒＬｆによるものである。
このように、隙間２５からなる空気室への音響的な漏洩によって指向周波数応答特性が劣化する。
【００１４】
次に、図１１に示す従来のコンデンサーマイクロホンユニットの例について説明する。この例は図５に示す従来例から、フロントメッシュをなくした構成になっている。その他の構成は図５に示す例と同じであるから、同じ構成部分には同じ符号を付して詳細な説明は省略する。
【００１５】
図１１に示す例では、フロントメッシュがないため、前記隙間２５からなる空気室にフロントメッシュから音響的な漏洩が生じることはなく、図１２に示すように、固定電極の切り欠き７２からの漏洩インピーダンスｍＬｓ，ｒＬｓのみが生じる。したがって、音響的な等価回路は、図１５に示すように、Ｐ１，ｍｆ，ｒｆ，ｍｏ，ｓｏ，ｒ０，ｒ１，Ｐ２，Ｐ１の直列接続とｓｆ，ｓ１を含む本来の正常な部分に、ｍＬｓ，ｒＬｓ，ｓｓが付加された回路になっている。図１１に示す例では、図８に示すｍＬｆ，ｒＬｆは存在しない。しかしながら、図１１に示す例では、固定電極の切り欠き７２から隙間２５からなる空気室に向かう音響的な漏洩が生じることによって指向周波数応答特性が劣化する。図１３は指向周波数応答特性の一例を示しており、ある周波数以上になるとそれ以降レベルが落ちている。図１４は他の指向周波数応答特性の例で、ある周波数領域でピークが現れている。いずれにせよ、指向周波数応答特性が劣化する。
【００１６】
なお、本発明に関連のある従来例として、金属ケースと、振動膜の前面と背面に加わる音圧差により動作する差動型マイクロホンと、マイクロホンを収納し前部と背部に凹部を有する絶縁体と、絶縁体前面の凹部と金属ケースの天面により構成した前気室と、絶縁体背部の凹部と作動型マイクロホンの出力を接続したプリント基板により構成した背気室と、前気室と背気室の間を結ぶ音孔と、を備えたマイクロホンユニットが提案されている（例えば、特許文献１参照）。
【特許文献１】特公平６−７１３５３号公報
【００１７】
特許文献１記載の発明は、電話機など通信用として帯域を制限する必要のある場合に適したマイクロホンに関するもので、コンデンサーマイクロホンユニットにおいて指向周波数応答特性を改善しようとする本願発明とは目的が異なり、また、前気室と背気室の間を結ぶ音孔を有するものの、この音孔は、本願発明のように、内蔵部品の外周面とユニットケースの内周面との間に存在する空気室の前後を開放するものではないから、構成も異なる。
【発明の開示】
【発明が解決しようとする課題】
【００１８】
本発明は、図５以下について説明したような従来のコンデンサーマイクロホンユニットの問題点を解消することにある。すなわち、ユニットケースの内周面と内蔵部品の外周面との間に生じる隙間が、音響的な空気室として動作しないように、換言すれば、この空気室の共振を防止することができる構造にすることにより、指向周波数応答特性を改善することができるコンデンサーマイクロホンユニットおよびコンデンサーマイクロホンを提供することを目的とする。
【課題を解決するための手段】
【００１９】
本発明にかかるコンデンサーマイクロホンユニットは、音波を受けて振動する振動板、この振動板の保持体、振動板に対向する固定電極、固定電極を受ける絶縁座を含む内蔵部品と、この内蔵部品を収納するユニットケースを備え、内蔵部品の外周面とユニットケースの内周面との間に空気室が存在するコンデンサーマイクロホンユニットであって、上記空気室が音響容量を持たないように上記空気室の前後が開放されていることを最も主要な特徴とする。
内蔵部品の前端とユニットケースの間にメッシュを挟み込み、このメッシュを通して空気室の前端を開放するとよい。
【００２０】
本発明にかかるコンデンサーマイクロホンは、本発明にかかるコンデンサーマイクロホンユニットをマイクロホンケースに組み込んだものである。
【発明の効果】
【００２１】
内蔵部品の外周面とユニットケースの内周面との間に間隙が生じるように寸法設定しておけば、マイクロホンユニット組立の作業性が良好になる。上記間隙は空気室を形成することになり、この空気室が音響容量として作用すると指向周波数応答特性が劣化する。しかし、本発明は、上記音響室の前後を開放したことによって音響容量として機能せず、上記空気室の音響的な共振を防止することができる。もって、上記空気室の存在による指向周波数応答特性の劣化を避けることができ、良好な指向周波数応答特性を得ることができる。
【発明を実施するための最良の形態】
【００２２】
以下、本発明の実施例について図１ないし図４を参照しながら説明する。なお、前述の従来例の構成と同じ構成部分には同じ符号を付している。
【実施例１】
【００２３】
図１において、符号１は有底円筒形のユニットケースを示しており、ユニットケース１の底板に相当する部分が前板１９となっていて、前板１９には複数の孔が形成され、これらの孔は前部音響端子１１となっている。ユニットケース１内には、ユニットケース１の前側から順に、フロントメッシュ３、振動板保持体４、振動板５、スペーサ６、固定電極７、絶縁座８などからなる内蔵部品が配置されている。ユニットケース１の開放された後端部内周には雌ねじ１２が形成され、この雌ねじ１２にロックリング２０の外周に形成された雄ねじがねじ込まれている。ロックリング２０は上記内臓部品をユニットケース１の前板１９の内面に向かって押圧し、ユニットケース１内に上記内臓部品を位置決めして一体的に固定している。この状態では、ロックリング２０はユニットケース１と実質一体の部材となっている。
【００２４】
上記フロントメッシュ３は、例えばステンレス鋼製の細線を布状に形成したもので、前記従来例におけるフロントメッシュと異なって、音響インピーダンスは低く設定されている。フロントメッシュ３は、内蔵部品の一つである振動板保持体４の前端とユニットケース１の前板１９の内面との間に挟み込まれ、上記前部音響端子１１を内側から覆っている。振動板５はフィルム状の素材からなる円形の部材で、音波を受けることによって振動する。図１において上側が前面となっていて、振動板５の外周縁部がリング状の振動板保持体４の後ろ側の面に固着されて振動板組立体が構成されている。この振動板組立体は振動板５が固定電極７側に位置するように配置され、振動板５と固定電極７との間には薄いリング状のスペーサ６が介在し、振動板５と固定電極７との間にスペーサ６の厚さに相当する間隙が形成されている。
【００２５】
固定電極７は、図６について説明したように全体として円板形で、振動板５と固定電極７との間に生じている間隙を後ろ側から外部に連通させるための複数の孔７１が形成されている。また、図６について説明した例のように、外周部に固定電極を位置決めするための切り欠きが形成されていても差し支えない。絶縁座８は前後の面に円形の凹陥部が形成され、前側の凹陥部は大径の凹陥部とこれよりも小径の凹陥部からなる２段の凹陥部となっていて、大径の凹陥部に固定電極７が位置決めされて固定されている。絶縁座８の上記小径の凹陥部は固定電極７の背後の空気室８１となっていて、この空気室８１は固定電極７の孔７１と連通している。絶縁座８はその中心を前後に貫く中心孔を有し、この中心孔には、絶縁座８の前側から引き出し端子となるねじ１４が挿入され、ねじ１４は音響抵抗９および音響抵抗押さえ１０を貫いている。音響抵抗押さえ１０の後面側から突出したねじ１４には皿座金１５が挿入され、さらにナット１６がねじ込まれることにより、皿座金１５の介在のもとに音響抵抗押さえ１０が音響抵抗９を絶縁座８に圧着している。絶縁座８は上記空気室８１に連通する孔８３を有し、音響抵抗押さえ１０は絶縁座８の上記孔８３と重なる孔を有していて、この孔は後部音響端子１０１を構成し、この後部音響端子１０１を塞ぐようにして上記音響抵抗９が存在している。
【００２６】
図１に示す例において、フロントメッシュ３、振動板保持体４、振動板５、スペーサ６および絶縁座８を含む内蔵部品の組み込み作業性を考慮して、これら内蔵部品の外周面とユニットケース１の内周面との間には、適宜の隙間２５が生じるように設計されている。この隙間２５が、固定電極７の背後の空気室８１と音響的につながると、前述のようにコンデンサーマイクロホンユニットの指向周波数応答を劣化させる要因となる。特に、図６に示すように、固定電極７に回転防止用の切り欠き７２が形成されていると、この切り欠き部７２を通して固定電極７の背後の空気室８１と上記隙間２５とが音響的につながり、指向周波数応答が劣化することは既に説明したとおりである。
【００２７】
しかし、図１に示す本願発明の実施例では、上記隙間２５からなる空気室が音響容量として作用しないように、以下のように構成が工夫されている。すなわち、隙間２５の前端側は前記フロントメッシュ３により外気に向かって開放され、隙間２５の後端側もリアメッシュ５０により外気に向かって開放されている。リアメッシュ５０は、前記ロックリング２０と絶縁座８との間に挟み込まれているリング状の部材で、フロントメッシュ３と同様の素材からなり、音響インピーダンスは低く設定されている。絶縁座８の後端は内蔵部品の後端となっていて、この絶縁座８の後端とユニットケース１の後端部内周にねじ込まれたロックリング２０とによってリアメッシュ５０が挟み込まれている。フロントメッシュ３もリアメッシュ５０も音響インピーダンスが低く、実質的には隙間２５の前後端が開放されているのと同視することができる。
【００２８】
図２は、図１に示す実施例における隙間２５とその前後の開放端の音響的なモデル図である。図２に示すように、隙間２５からなる空気室のスチフネスをｓｓ、隙間２５に通じる前側において、フロントメッシュ３から隙間２５に漏洩するインピーダンスをｍＬｆ，ｒＬｆ、隙間２５に通じる後側において、リアメッシュ５０から隙間２５に漏洩するインピーダンスをｍＬｂ，ｒＬｂとする。また、図７に示した従来例と同様に、各部の音響的な要素を以下のとおり定義する。
ｍｆ：前部音響端子の質量
ｒｆ：フロントメッシュの音響抵抗
ｓｆ：振動板の前側の空気室１８のスチフネス
ｍ０，ｓ０，ｒ０：振動板の音響インピーダンス
ｍ０：振動板の音響質量
ｓ０：振動板のスチフネス
ｒ０：振動板の音響抵抗
ｓ１：振動板の背後の空気室８１のスチフネス
ｒ１：後部の音響抵抗
ｍＬｓ，ｒＬｓ：固定電極の切り欠き７２からの漏洩インピーダンス
ｍＬｓ：漏洩音響質量
ｒＬｓ：漏洩音響抵抗
ｓｓ：隙間２５からなる空気室のスチフネス
ｍＬｆ，ｒＬｆ：フロントメッシュ３から隙間２５に漏洩するインピーダンス
ｍＬｆ：フロントメッシュ３から隙間２５に漏洩する音響質量
ｒＬｆ：フロントメッシュ３から隙間２５に漏洩する音響抵抗
【００２９】
上記音響的な要素からなる図１に示す実施例の等価回路を図３に示す。図３において、音響入力をＰ１、音響出力をＰ２とすると、Ｐ１，ｍｆ，ｒｆ，ｍｏ，ｓｏ，ｒ０，ｒ１，Ｐ２，Ｐ１の順に直列接続され、ｒｆ，ｍｏの接続点とＰ１，Ｐ２の接続点の間にｓｆが介在し、ｒ０，ｒ１の接続点とＰ１，Ｐ２の接続点の間にｓ１が介在している。また、ｒｆ，ｍｏの接続点とＰ１，Ｐ２の接続点の間には、直列に接続されたｍＬｆ，ｒＬｆ，ｓｓが介在し、ｒ０，ｒ１の接続点とｒＬｆ，ｓｓの接続点の間には、直列に接続されたｍＬｓ，ｒＬｓが介在し、ｒ１，Ｐ２の接続点とｒＬｆ，ｓｓの接続点の間には、直列に接続されたｍＬｂ，ｒＬｂが介在している。
しかしながら、隙間２５からなる空気室の前後は実質的に開放され、この空気室のスチフネスｓｓは無視できる程度に小さく音響容量を実質的に持たないため、図３の等価回路におけるｓｓに至る回路が遮断されているのと実質的に同じ結果となる。そのため、ｍＬｆ，ｒＬｆの直列接続、ｍＬｓ，ｒＬｓの直列接続、およびｍＬｂ，ｒＬｂの直列接続は存在しないものと同一視することができ、図３の上側に示す、本来あるべき正常な等価回路構成となる。
【００３０】
以上のとおり、図１に示す実施例によれば、組立作業性を改善するために、内蔵部品の外周面とユニットケースの内周面との間に隙間２５を形成し、これによって指向周波数応答が劣化する可能性のあるコンデンサーマイクロホンユニットにおいて、上記隙間２５の前後端を開放することにより、隙間２５の音響容量を小さくし音響的な空気室として作用しないようにした。その結果、隙間２５の共振がなくなり、指向周波数応答特性線図において、突出したピークや急激な落ち込みあるいは谷状の落ち込みのない良好な指向周波数応答特性を得ることができる。
【００３１】
また、図１に示す実施例によれば、フロントメッシュ３の介在のもとに内蔵部品がユニットケース１の前板１９の内面に押圧され、また、リアメッシュ５０の介在のもとにロックリング２０が絶縁座８を前方に向かって押圧している。フロントメッシュ３およびリアメッシュ５０は、前述のように、例えばステンレス鋼からなる細線を織り、あるいは織らないで板状にまとめたもので、弾力性がある。そのため、ロックリング２０を強く締めすぎたとしても、フロントメッシュ３およびリアメッシュ５０が余分な押圧力を吸収して、内蔵部品を適度な押圧力でユニットケース１内に固定する。また、ロックリング２０の締め付け力が弱かったとしても、フロントメッシュ３およびリアメッシュ５０が圧縮されていればその反発力で内蔵部品がユニットケース１内に固定される。よって、振動板保持体４に不均一な応力が働いて振動板５が歪む、というような不具合を避けることができ、振動板保持体４とユニットケース１との電気的な接続が不安定になる、というような不具合を避けることができる。
【実施例２】
【００３２】
次に、図４に示す第２の実施例について説明する。この実施例が図１に示す第１の実施例と異なる点は、第１の実施例におけるリアメッシュ５０を使用しない代わりに、絶縁座８の後端外周縁部に、上記隙間２５からなる空気室に連通する開口８４を形成したものである。開口８４は、絶縁座８の後端部の一部を外周側から半径方向内側に向かって切り込むことによって形成されていて、半径方向内側に向かう切り込み量がロックリング２０の半径方向の幅寸法よりも大きくなっている。よって、ロックリング２０の内周面よりも内周側に開口８４の一部が位置して、上記空気室が外に向かって開放している。そのほかの構成は、フロントメッシュ３も含めて図１に示す第１の実施例と同じであるから、説明は省略する。
【００３３】
図４に示す第２の実施例も、音響的な等価回路を図３のように表すことができ、第１の実施例と同様の効果を奏する。
【００３４】
本発明にかかるコンデンサーマイクロホンは、以上説明した各実施例にかかるコンデンサーマイクロホンユニットをマイクロホンケースに組み込むことによって構成されるもので、コンデンサーマイクロホンユニットによって得られる優れた効果を得ることができる。すなわち指向周波数応答特性の良好なコンデンサーマイクロホンを得ることができる。
【図面の簡単な説明】
【００３５】
【図１】本発明にかかるコンデンサーマイクロホンユニットの第１の実施例を示す縦断面図である。
【図２】上記実施例における空気室の音響要素を説明するためのモデル図である。
【図３】上記実施例の音響的な等価回路図である。
【図４】本発明にかかるコンデンサーマイクロホンユニットの第２の実施例を示す縦断面図である。
【図５】従来のコンデンサーマイクロホンユニットの一例を示す縦断面図である。
【図６】上記従来例に用いられている固定電極を示す平面図である。
【図７】上記従来例における各部の音響要素を説明するための縦断面図である。
【図８】上記従来例の音響的な等価回路図である。
【図９】上記従来例における空気室の音響要素を説明するためのモデル図である。
【図１０】上記従来例の指向周波数応答特性例を示すグラフである。
【図１１】従来のコンデンサーマイクロホンユニットの別の例を示す縦断面図である。
【図１２】上記従来例における空気室の音響要素を説明するためのモデル図である。
【図１３】上記従来例の指向周波数応答特性例を示すグラフである。
【図１４】上記従来例の別の指向周波数応答特性例を示すグラフである。
【図１５】上記従来例の音響的な等価回路図である。
【符号の説明】
【００３６】
１    ユニットケース
３    フロントメッシュ
４    振動板保持体
５    振動板
６    スペーサ
７    固定電極
８    絶縁座
９    後部音響抵抗
２０    ロックリング
２５    隙間（空気室）
５０    リアメッシュ
８４    開口
【図１】
2008079223.tif 000003
【図２】
2008079223.tif 000004
【図３】
2008079223.tif 000005
【図４】
2008079223.tif 000006
【図５】
2008079223.tif 000007
【図６】
2008079223.tif 000008
【図７】
2008079223.tif 000009
【図８】
2008079223.tif 000010
【図９】
2008079223.tif 000011
【図１０】
2008079223.tif 000012
【図１１】
2008079223.tif 000013
【図１２】
2008079223.tif 000014
【図１３】
2008079223.tif 000015
【図１４】
2008079223.tif 000016
【図１５】
2008079223.tif 000017